(57)【特許請求の範囲】
【請求項１】
一缶体内に二経路の熱交換器と一基のバーナを備えた一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、風呂温度センサ異常検出動作を停止することを特徴とする浴槽湯温検出装置。
【請求項２】
一缶体内に二経路の熱交換器と一基のバーナを備えた一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、給湯運転が停止されるまで風呂温度センサ異常検出動作を中断することを特徴とする浴槽湯温検出装置。
【請求項３】
一缶体内に二経路の熱交換器と一基のバーナを備えた一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、給湯側の運転による風呂側加熱能力が低下が大きい場合に、風呂温度センサ異常検出動作を停止することを特徴とする浴槽湯温検出装置。
【発明の詳細な説明】
【０００１】
【発明の属する技術分野】
本発明は、一缶体内に二経路の熱交換器を備え、一基のバーナで浴槽の湯と給湯との二経路の熱交換器を加熱する所謂一缶二経路式の循環加熱装置において、浴槽の湯温を検出する浴槽湯温検出装置に関する。
【０００２】
【従来の技術】
従来、一缶二経路式の循環加熱装置においては、浴槽に通じる配管内に温度センサを設け、該配管内の湯温を検出することによって浴槽内の湯温を検出していた。
ところが、上記従来の浴槽湯温検出方法においては、直接浴槽内の湯温を測定するものではなく、浴槽内の湯温と、温度センサの設置位置の湯温とが一致しない状態が生じ、浴槽内の湯温を適切に測定することができないという問題があった。
【０００３】
この問題を解決するために、浴槽に通じる配管内に温度センサを設け、該配管内の現在湯温を検出して、前回検出した湯温データと比較し、前回検出した湯温よりも現在湯温が低い場合に、前回検出した湯温を誤検出したデータであると判定し、現在湯温を浴槽温度として更新する浴槽温度検出装置が提案されている。
【０００４】
【発明が解決しようとする課題】
しかしながら、上記従来の浴槽湯温検出装置においては、以下に述べるような問題があった。
一缶二経路式の循環加熱装置に上記従来の浴槽湯温検出装置を適用した場合、一方の経路の単使用時には加熱能力が十分であるから問題は無いものであるが、二経路を同時使用すると、給湯側に加熱能力を取られて浴槽に連通する側の経路に対する加熱能力が不足し、現在湯温が前回検出した湯温より低くなり、前回検出した湯温を誤検出したデータであると判定するという問題があった。
【０００５】
本発明の目的は、一缶体内に二経路の熱交換器を備え、一基のバーナで加熱する一缶二経路式の循環加熱装置において、浴槽湯温の誤検出の誤判定を防ぐことのできる浴槽湯温検出装置を提供することである。
【０００６】
【課題を解決するための手段】
上記目的を達成するために本発明の浴槽湯温検出装置は、一缶体内に二経路の熱交換器と一基のバーナを備えた一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、風呂温度センサ異常検出動作を停止することにより、風呂加熱運転中に給湯運転が行われている場合に、ＮＧカウンタをリセットして風呂温度センサの異常検出動作を停止させるから、風呂温度センサの異常の誤検出を防止することができる。
また、一缶体内に二経路の熱交換器と一基のバーナを備えた一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、給湯運転が停止されるまで風呂温度センサ異常検出動作を中断することにより、給湯及び風呂の同時使用で、風呂加熱能力が低下しても、風呂温度センサ異常検出の誤動作を防ぐことができるとともに、給湯運転が停止すると、第２所定時間ｔ２  を計測するタイマをリセットし、比較風呂温度データを再び検出するが、ＮＧカウンタをリセットしないことで、正確に且つ速やかに風呂温度センサの異常を検出できる。
さらに、一缶体内に二経路の熱交換器と一基のバーナを備えた一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、給湯側の運転による風呂側加熱能力が低下が大きい場合に、風呂温度センサ異常検出動作を停止することにより、同時使用中に風呂側加熱能力が低下した場合にのみ風呂温度センサ異常検出動作を停止させて誤検出を防止する一方、風呂側加熱能力が低下しない場合は風呂温度センサ異常検出動作を継続して、速やか且つ正確な風呂温度センサ異常検出を実行することができる。
また、同時使用中に風呂側加熱能力が低下した場合に風呂温度センサ異常検出動作を停止させて誤検出を防止することができる。
【０００７】
【発明の実施の形態】
図を参照して本発明の実施例を説明する。
図６において、本発明を適用する一缶二経路一バーナ形式の循環加熱装置の概略構成を説明すると、循環加熱装置１は、給湯用熱交換器２と、風呂用熱交換器３と、バーナノズル４、点火装置５及びファン６とを有するオイルバーナとを備えている。
【０００８】
給湯用熱交換器２には、給湯入水路７と、給湯用カランに接続される給湯出湯路８とがそれぞれ連通されており、給湯入水路７には、入水量Ｑｃ  を検出する給湯入水量センサ９及び入水温度Ｔｃ  を検出する入水温度センサ１０が設けられ、給湯出湯路８には出湯量Ｑｏ  を調節する出湯量調整弁１１及び出湯温度Ｔｏ  を検出する出湯湯温センサ１２が設けられている。
給湯入水路７の水量センサ９及び入水温度センサ１０の設置箇所より上流側位置と、給湯出湯路８の出湯量調整弁１１及び出湯湯温センサ１２の設置箇所より上流側位置即ち給水源側位置とに、それぞれ両端が接続開口される給湯バイパス路１３が設けられており、該給湯バイパス路１３にはバイパス水量を調節するバイパス調整弁１４が設置されている。
【０００９】
風呂用熱交換器３には、一端が浴槽に接続開口され、浴槽内の湯を循環加熱装置１に送る風呂戻り管路１５と、一端が浴槽に接続開口され、循環加熱装置１で加熱された湯を浴槽に送る風呂往き管路１６とがそれぞれ接続されて風呂側循環回路が形成されており、風呂戻り管路１５には、循環ポンプ１９、風呂温度センサ２０及び水流スイッチ２１が上流側即ち浴槽側から順に設けられ、風呂温度センサ２０と水流スイッチ２１の間と、風呂往き管路１６とに、それぞれ両端が接続開口され、逆止弁２４を有する風呂バイパス路１８が設けられている。
【００１０】
給湯出湯路８の出湯量調整弁１１及び出湯湯温センサ１２の設置箇所より下流側位置と、風呂往き管路１６の風呂バイパス路１８分岐位置より上流側位置即ち循環加熱装置１側の位置とに、両端が接続開口された落とし込み管路１７が設けられており、落とし込み管路１７には、逆止弁２２，２３、落とし込み水量センサ２４、落とし込み電磁弁２５及び真空破壊弁２６が設けられている。
【００１１】
動作について説明すると、給湯運転時には、給湯カランを開くと、給湯入水路７から給湯用熱交換器２を経て給湯出湯路８への給湯加熱路が形成され、給湯入水路７から給湯用熱交換器２への入水量を給湯入水量センサ９で、入水温度を入水温度センサ１０で検出し、その検出データに基づいて、出湯量調整弁１１の開度並びにバイパス水量を調節するバイパス調整弁１４の開度を調節して、給湯出湯路８からの出湯湯温を調節する。
【００１２】
浴槽に湯を補給する落とし込み運転の場合は、給湯カランは閉じたままで落とし込み電磁弁２５を開くと、給湯入水路７、給湯用熱交換器２、給湯出湯路８、落とし込み管路１７、風呂往き管路１６で落とし込み加熱路が形成され、給湯用熱交換器２で加熱された給湯出湯路８からの湯を、落とし込み管路１７を介して風呂往き管路１６に導き、浴槽に供給する。
浴槽内の水位が空焚きの恐れのない第１所定値（例えば、接続金具の開口を覆う水位）に達すると、浴槽内の湯温が低い場合は、落とし込み運転を継続しながら、後述の風呂追焚運転を開始する。
【００１３】
浴槽内の水位が十分な第２所定値（例えば、浴槽の上縁から１０〜１５ｃｍ）に達すると、落とし込み電磁弁２５が閉じられて落とし込み運転が停止され、浴槽内の湯温が低くなると、浴槽内の湯を追い焚きする風呂追焚運転が開始される。風呂追焚運転においては、落とし込み電磁弁２５が閉じられて循環ポンプ１９の運転が開始され、水流スイッチ２１が浴槽の湯の循環を検出し、風呂戻り管路１５に設けられた風呂温度センサ２０が、湯温Ｔｅ  が設定温度Ｔｓ  以下であることを検出すると、オイルバーナが燃焼を開始する。
【００１４】
次に、風呂温度センサ２０の異常検出動作について説明する。
図１において、第１実施例を説明すると、風呂保温或いは風呂昇温の操作スイッチをオンする又はオンしている（ステップＳ１）時に、給湯入水路７の入水量Ｑｃ  を検出する給湯入水量センサ９の検出データにより、給湯側に最低必要流量（ＭＯＱ）以上の通水が行われているか、即ち給湯が行われているか確認し（ステップＳ２）、ＭＯＱ以上の入水量Ｑｃ  （ＭＯＱ≦Ｑｃ  ）である即ち給湯が行われている場合は、不都合な湯温検出状態である回数をカウントするＮＧカウンタをリセットする（ステップＳ３）。
ここで、ＮＧカウンタは、湯温検出状態が不都合である（例えば、バーナが燃焼しているのに、風呂温度センサ２０の検出する湯温Ｔｅ  が前回検出湯温Ｔｂ  より低下している）ことが発生した回数を所定時間毎にカウント（ＮＧカウント）するものである。
【００１５】
これは、ＭＯＱ以上の入水量Ｑｃ  （ＭＯＱ≦Ｑｃ  ）である即ち給湯が行われている場合は、循環加熱装置１の加熱能力が、給湯用熱交換器２を加熱するのに大きく摂られることになり、風呂用熱交換器３の加熱量が不足し、上述のバーナが燃焼しているのに、風呂温度センサ２０が正常であるにも拘らず、その検出する湯温Ｔｅ  が前回検出湯温Ｔｂ  より低下する等の不都合を生じる恐れがあるため、ＮＧカウンタをリセットするものである。
【００１６】
入水量Ｑｃ  がＭＯＱ未満（Ｑｃ  ＜ＭＯＱ）である場合は、給湯が行われていないと判断して後述する通常の風呂温度センサ異常検出動作を実行し（ステップＳ４）、ＮＧカウンタが所定カウント数Ｎ（例えば、３）になる（ステップＳ５）と風呂温度センサ２０が異常であると判定する（ステップＳ６）。
【００１７】
図２のフローチャートを参照して通常の風呂温度センサ異常検出動作（ステップＳ４）を説明すると、通常の風呂温度センサ異常検出動作に入ると、循環ポンプ１９を運転し（ステップＳ７）、水流スイッチ２１のオンによって循環ポンプ１９の運転を確認するとともに、水流スイッチ２１のオンから第１所定時間ｔ１  （例えば、２５秒間）継続した、即ち循環ポンプ１９の運転が第１所定時間ｔ１  （２５秒間）継続したことを確認し（ステップＳ８）、風呂温度センサ２０によって比較風呂温度データとして湯温Ａ０  （前述の前回検出湯温Ｔｂ  ）を検出する（ステップＳ９）。
なお、水流スイッチ２１を備えていない場合は、直接循環ポンプ１９が運転されている時間を計測する。
【００１８】
湯温Ａ０  の検出後第２所定時間ｔ２  （例えば、５分間）経過（ステップＳ１０）後、現在風呂温度データとして現在湯温Ａ１  （前述の湯温Ｔｅ  ）を検出する（ステップＳ１１）。
比較風呂温度データ（前回湯温Ａ０  ）と現在風呂温度データ（現在湯温Ａ１  ）とを比較し（ステップＳ１２）、比較風呂温度データ（前回湯温Ａ０  ）より現在風呂温度データ（現在湯温Ａ１  ）が低い（Ａ０  ＞Ａ１  ）場合には、誤検出と判断して比較風呂温度データを現在湯温Ａ１  に更新する（ステップＳ１３）。
【００１９】
この比較風呂温度データ（前回湯温Ａ０  ）より現在風呂温度データ（現在湯温Ａ１  ）が低い（Ａ０  ＞Ａ１  ）状態は、正常な状態ではないものであるから、ＮＧカウンタにＮＧカウントを１カウントする（ステップＳ１４）。
ＮＧカウンタが所定カウント数Ｎ（例えば、３）に達すると（ステップＳ１５）、風呂温度センサ２０が異常であると判定する（ステップＳ１６）。
【００２０】
ＮＧカウンタが所定カウント数Ｎ（３）に達していない（ステップＳ１５）時は、比較風呂温度データの計測（ステップＳ９）直後の状態に戻し、第２所定時間ｔ２  （５分間）経過（ステップＳ１０）後、現在風呂温度データとして現在湯温Ａ２  を検出し（ステップＳ１１）、比較風呂温度データ（前回湯温Ａ１  ）と現在風呂温度データ（現在湯温Ａ２  ）を比較し（ステップＳ１２）、比較風呂温度データ（前回湯温Ａ１  ）より現在風呂温度データ（現在湯温Ａ２  ）が低い（Ａ１  ＞Ａ２  ）場合には、比較風呂温度データを現在湯温Ａ２  に更新する（ステップＳ１３）とともに、ＮＧカウントを１カウントする（ステップＳ１４）。
以下、同様にして比較風呂温度データを更新する。
【００２１】
ステップＳ１２において、現在風呂温度データ（現在湯温Ａ１  ）が比較風呂温度データ（前回湯温Ａ０  ）以上（Ａ０  ≦Ａ１  ）である場合、その温度差が設定値ΔＴ（例えば、ΔＴ＝１度）未満である時（０°≦Ａ１  ーＡ０  ＜ΔＴ、即ち０°≦Ａ１  ーＡ０  ＜１°）は、正常な状態ではないと判定して、ＮＧカウンタにＮＧカウントを１カウントする（ステップＳ１４）。
現在風呂温度データ（現在湯温Ａ１  ）と比較風呂温度データ（前回湯温Ａ０  ）の差が設定値ΔＴ以上である（Ａ１  ーＡ０  ≧ΔＴ、即ちＡ１  ーＡ０  ≧１°）場合は、比較風呂温度データを現在湯温Ａ１  に更新し（ステップＳ１８）、ＮＧカウンタをリセットして（ステップＳ１９）比較風呂温度データの計測（ステップＳ９）直後の状態に戻す。
【００２２】
この構成により、風呂保温或いは風呂昇温の操作スイッチがオンした時、又はオンしている時即ち風呂加熱運転中に給湯運転が行われて風呂側加熱能力の低下が大きい場合には、ＮＧカウンタをリセットして風呂温度センサの異常検出動作を停止させるから、風呂温度センサの異常の誤検出を防止することができる。
【００２３】
図３において第２実施例を説明すると、ステップＳ７からステップＳ１９までは上述の通常の風呂温度センサ異常検出動作であり、比較風呂温度データとして湯温Ａ０  の検出後第２所定時間ｔ２  （例えば、５分間）が経過（ステップＳ１０）していない時に、ＭＯＱがオンして給湯運転が始まる（ステップＳ２０）と、ＭＯＱがオフして給湯運転が停止する（ステップＳ２１）まで、風呂温度センサ異常検出動作を停止する。
ＭＯＱがオフする即ち給湯運転が停止する（ステップＳ２１）と、第２所定時間ｔ２  を計測するタイマをリセットし（ステップＳ２２）、比較風呂温度データとして湯温Ａ０  を再び検出する（ステップＳ９）。
【００２４】
この構成によると、風呂の加熱運転が行われている最中にＭＯＱがオンして給湯運転が始まると、ＭＯＱがオフして給湯運転が停止するまで、風呂温度センサ異常検出動作を停止することにより、給湯及び風呂の同時使用で、風呂加熱能力が低下しても、風呂温度センサ異常検出の誤動作を防ぐことができる。
また、ＭＯＱがオフして給湯運転が停止すると、第２所定時間ｔ２  を計測するタイマをリセットし、比較風呂温度データとして湯温Ａ０  を再び検出するが、ＮＧカウンタをリセットしないことで、正確に且つ速やかに風呂温度センサの異常を検出できる。
【００２５】
図４において第３実施例を説明すると、ステップＳ７からステップＳ１８までは上述の通常の風呂温度センサ異常検出動作であり、比較風呂温度データとして湯温Ａ０  の検出後第２所定時間ｔ２  （例えば、５分間）が経過（ステップＳ１０）していない時に、ＭＯＱがオンして給湯運転が始まる（ステップＳ２０）と、給湯側入水温度Ｔｃ  が入水所定温度Ｂ以下であり（ステップＳ２３）、且つ現在風呂戻り湯温Ｔｅ  が風呂戻り所定温度Ｄ以上である（ステップＳ２４）場合は、第２所定時間ｔ２  を計測するタイマをリセットして（ステップＳ２２）、風呂温度センサ異常検出動作を停止させ、比較風呂温度データとして湯温Ａ０  を再び検出する（ステップＳ９）。
【００２６】
これは、風呂追焚運転と給湯運転の同時使用において、給湯と追焚との能力バランスが、給湯は、給湯側入水温度Ｔｃ  が低い、即ち給湯側入水温度Ｔｃ  が入水所定温度Ｂ以下である場合には吸熱しやすくなる、即ち吸熱量が大きくなり、追焚運転は、風呂戻り湯温Ｔｅ  が高い、即ち風呂戻り湯温Ｔｅ  が風呂戻り所定温度Ｄ以上である場合には吸熱しにくくなる、即ち吸熱量が小さくなる。
したがって、給湯側入水温度Ｔｃ  が入水所定温度Ｂ以下で、且つ風呂戻り湯温Ｔｅ  が風呂戻り所定温度Ｄ以上である場合には、風呂側加熱能力が低下するからである。
【００２７】
この構成によると、風呂追焚運転と給湯運転の同時使用において、給湯側入水温度Ｔｃ  が入水所定温度Ｂ以下で、且つ風呂戻り湯温Ｔｅ  が風呂戻り所定温度Ｄ以上である場合には、第２所定時間ｔ２  を計測するタイマをリセットして風呂温度センサ異常検出動作を停止させるものであるから、同時使用中に風呂側加熱能力が低下した場合にのみ風呂温度センサ異常検出動作を停止させて誤検出を防止する一方、風呂側加熱能力が低下しない場合は風呂温度センサ異常検出動作を継続して、速やか且つ正確な風呂温度センサ異常検出を実行することができる。
【００２８】
図５を参照して第４実施例を説明すると、ステップＳ７からステップＳ１９までは上述の通常の風呂温度センサ異常検出動作であり、比較風呂温度データとして湯温Ａ０  の検出後、第２所定時間ｔ２  （例えば、５分間）が経過（ステップＳ１０）していない時に、ＭＯＱがオンして給湯運転が始まる（ステップＳ２０）と、現在給湯号数Ｇａ  を次の式で算出する（ステップＳ２４）。
Ｇａ  ＝（Ｔｏ  ─Ｔｃ  ）×Ｑｏ  ／２５
ここで、Ｔｏ  ：給湯側出湯温度
Ｔｃ  ：給湯側入水温度
Ｑｏ  ：給湯側出湯量
【００２９】
次に、現在風呂号数Ｇｂ  を次の式で算出する（ステップＳ２６）。
Ｇｂ  ＝Ｇｃ  ─Ｇａ
但し、Ｇｃ  ：現在のバーナ出力号数（バーナの燃焼量から算出）
さらに、現在風呂号数Ｇｂ  を所定号数Ｇｓ  （例えば、５号）と比較し（ステップＳ２７）、現在風呂号数Ｇｂ  が所定号数Ｇｓ  （例えば、５号）より低い（Ｇｂ  ＜Ｇｓ  ）場合には、第２所定時間ｔ２  を計測するタイマをリセットして（ステップＳ２２）、風呂温度センサ異常検出動作を停止させ、比較風呂温度データとして湯温Ａ０  を再び検出する（ステップＳ９）。
【００３０】
この構成によると、現在のバーナ出力号数Ｇｃ  と、実際値である現在給湯号数Ｇａ  とから現在風呂号数Ｇｂ  を算出し、現在風呂号数Ｇｂ  が所定号数Ｇｓ  （５号）未満の場合には、風呂温度センサ異常検出動作を停止させるから、同時使用中に風呂側加熱能力が低下した場合に風呂温度センサ異常検出動作を停止させて誤検出を防止することができる。
【００３１】
【発明の効果】
本発明は、上述のとおり構成されているから次に述べる効果を奏する。
一缶二経路式の循環加熱装置において、風呂側循環回路に風呂温度センサを設け、該風呂温度センサの検出した現在湯温が、所定時間前に検出して比較風呂温度データとして記憶している前回検出湯温よりも低い場合は、現在湯温を比較風呂温度データとして更新して記憶する風呂温度センサ異常検出動作を行う浴槽湯温検出装置において、風呂と給湯の同時運転が開始された時に、風呂温度センサ異常検出動作を停止することにより、風呂加熱運転中に給湯運転が行われている場合に、ＮＧカウンタをリセットして風呂温度センサの異常検出動作を停止させるから、風呂温度センサの異常の誤検出を防止することができる。
また、風呂と給湯の同時運転が開始された時に、給湯運転が停止されるまで風呂温度センサ異常検出動作を中断することにより、給湯及び風呂の同時使用で、風呂加熱能力が低下しても、風呂温度センサ異常検出の誤動作を防ぐことができるとともに、給湯運転が停止すると、第２所定時間ｔ２  を計測するタイマをリセットし、比較風呂温度データを再び検出するが、ＮＧカウンタをリセットしないことで、正確に且つ速やかに風呂温度センサの異常を検出できる。
さらに、風呂と給湯の同時運転が開始された時に、風呂側加熱能力が低下した場合に、風呂温度センサ異常検出動作を停止することにより、同時使用中に風呂側加熱能力が低下した場合にのみ風呂温度センサ異常検出動作を停止させて誤検出を防止する一方、風呂側加熱能力が低下しない場合は風呂温度センサ異常検出動作を継続して、速やか且つ正確な風呂温度センサ異常検出を実行することができる。
また、同時使用中に風呂側加熱能力が低下した場合に風呂温度センサ異常検出動作を停止させて誤検出を防止することができる。
【図面の簡単な説明】
【図１】本発明の第１実施例のフローチャートである。
【図２】本発明を適用する異常検出動作のフローチャートである。
【図３】本発明の第２実施例のフローチャートである。
【図４】本発明の第３実施例のフローチャートである。
【図５】本発明の第４実施例のフローチャートである。
【図６】本発明を適用する循環加熱装置の概略構成図である。
【符号の説明】
１  循環加熱装置、２  給湯用熱交換器、３  風呂用熱交換器
４  バーナノズル、６  ファン、７  給湯入水路、８  給湯出湯路
１３  給湯バイパス路、１５  風呂戻り管路、１６  風呂往き管路
１７  落とし込み管路、１８  風呂バイパス路、１９  循環ポンプ
２０  風呂温度センサ、２１  水流スイッチ
【図１】
0003622189.tif 000002
【図２】
0003622189.tif 000003
【図３】
0003622189.tif 000004
【図４】
0003622189.tif 000005
【図５】
0003622189.tif 000006
【図６】
0003622189.tif 000007